(57)【要約】【課題】駆動源からの駆動力をより確実に開閉扉に伝達することができ、かつ、装置全体をよりコンパクトに構成しやすい遊技機用可変入賞装置を提供する。【解決手段】遊技機用可変入賞装置１０には、開口部２２を開放する開放位置と閉塞する閉塞位置とに変位し得る構成をなし、左右方向の一端側に被作用部（筒状部４２及び凸部５０）が形成されてなる開閉扉４０と、その被作用部に作用する作用部（軸状部６２及び螺旋状部７０）が形成され、プランジャ９４と連動して左右方向に沿って移動する伝達部材６０とが設けられている。そして、ソレノイド９０でのプランジャ９４の変位に応じて伝達部材６０が連動し、被作用部に対する作用部の相対位置が変化することに伴い、作用部が、回動軸Ｇを中心として被作用部を回動させるように作用し、開閉扉４０が開放位置と閉塞位置との間で回動動作するようになっている。【選択図】図３
2015213678.tif 000002
【特許請求の範囲】
【請求項１】
遊技盤に直接又は他部材を介して間接的に取り付けられると共に所定の開口部が形成されてなる枠体と、
前記遊技盤の盤面と平行な所定の左右方向に沿った回動軸を中心として回動し得るように前記枠体に直接又は他部材を介して間接的に保持され、少なくとも前記開口部を開放する開放位置と前記開口部を閉塞する閉塞位置とに変位し得る構成をなし、前記左右方向の一端側に被作用部が形成されてなる開閉扉と、
前記左右方向に沿って往復動し得るように配置された変位部材と、前記変位部材を駆動する駆動部と、を備えた駆動源と、
前記開閉扉に隣接して配置されると共に前記被作用部に作用する作用部が形成され、前記変位部材と連動して前記左右方向に沿って移動するように構成された伝達部材と、
を備え、
前記駆動源での前記変位部材の変位に応じて前記伝達部材が連動し、前記被作用部に対する前記作用部の相対位置が変化することに伴い、前記作用部が、前記回動軸を中心として前記被作用部を回動させるように作用し、前記開閉扉が前記開放位置と前記閉塞位置との間で回動動作することを特徴とする遊技機用可変入賞装置。
【請求項２】
前記作用部又は前記被作用部のうち、いずれか一方が筒状部として構成され、いずれか他方が前記筒状部内に挿入される軸状部として構成されており、
前記筒状部の内壁部又は前記軸状部の外壁部のうち、いずれか一方には、溝部又は凸条部が螺旋状に構成されてなる螺旋状部が形成され、いずれか他方には、前記螺旋状部に係合して前記螺旋状部に沿って相対移動する係合部が形成されていることを特徴とする請求項１に記載の遊技機用可変入賞装置。
【請求項３】
前記作用部が前記軸状部として構成され、前記被作用部が前記筒状部として構成されており、
前記軸状部の外壁部には、円筒状の外周面が構成され、前記円筒状の外周面から窪んだ構成で前記溝部が螺旋状に構成されてなる前記螺旋状部が形成され、
前記筒状部の内壁部には、前記係合部として前記螺旋状部に入り込む凸部が形成され、
前記枠体には、前記軸状部と嵌合するガイド孔が形成されており、
前記ガイド孔には、前記軸状部の前記円筒状の外周面を支持する円筒状の内周面が前記左右方向に沿って構成されており、
前記軸状部は、前記円筒状の外周面が前記ガイド孔の前記円筒状の内周面に支持されつつ前記左右方向に沿って移動する構成であることを特徴とする請求項２に記載の遊技機用可変入賞装置。
【請求項４】
前記伝達部材は、前記変位部材に固定されており、当該変位部材と一体的に移動することを特徴とする請求項１から請求項３のいずれか一項に記載の遊技機用可変入賞装置。
【請求項５】
前記伝達部材の前記作用部は、前記被作用部を回転可能に支持することで前記開閉扉における前記左右方向一端側を支持する軸受として兼用され、
前記開閉扉における前記左右方向他端側の部分は、前記枠体に形成された軸受部に回転可能に支持されることを特徴とする請求項１から請求項４のいずれか一項に記載の遊技機用可変入賞装置。
【請求項６】
請求項１から請求項５のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
遊技機の分野では、様々な入賞装置が提供されており、その動作態様も様々である。例えば特許文献１には、その一例として、前傾して開口する玉誘導扉７と、この玉誘導扉７を開閉するソレノイド１１と、一端を玉誘導扉７の突起部８と連係させてソレノイド１１が励磁されたとき玉誘導扉７を開くレバー構造を有する扉開閉部材１とを備えた玉入賞装置が開示されている。
【先行技術文献】
【特許文献】
【０００３】
【特許文献１】特開２００１−３７９８９号公報
【発明の概要】
【発明が解決しようとする課題】
【０００４】
ところで、特許文献１のような従来の入賞装置では、レバーなどの揺動する伝達部材を介して開閉扉（特許文献１では、玉誘導扉７）を開閉する構成であったため、ソレノイドの作動力が正確に伝達されにくく、開閉扉の開閉が不正確になる虞があった。また、特許文献１の構造では、開閉扉（玉誘導扉７）において、伝達部材と連係させるための突起部８を後方に延出させた形態で設けなければならず、更に、この突起部８の動作スペースを十分に確保しなければならなかった。つまり、装置内において突起部８に関連するスペースを大きく確保しなければならないため、スペース的に不利な構成であり、このため、入賞装置全体の小型化が難しかった。
【０００５】
本発明は、上述した課題を解決するためになされたものであり、駆動源からの駆動力をより確実に開閉扉に伝達することができ、かつ、装置全体をよりコンパクトに構成しやすい遊技機用可変入賞装置及びこれを備えた遊技機を提供することを目的とする。
【課題を解決するための手段】
【０００６】
本発明の遊技機用可変入賞装置は、
遊技盤に直接又は他部材を介して間接的に取り付けられると共に所定の開口部が形成されてなる枠体と、
前記遊技盤の盤面と平行な所定の左右方向に沿った回動軸を中心として回動し得るように前記枠体に直接又は他部材を介して間接的に保持され、少なくとも前記開口部を開放する開放位置と前記開口部を閉塞する閉塞位置とに変位し得る構成をなし、前記左右方向の一端側に被作用部が形成されてなる開閉扉と、
前記左右方向に沿って往復動し得るように配置された変位部材と、前記変位部材を駆動する駆動部と、を備えた駆動源と、
前記開閉扉に隣接して配置されると共に前記被作用部に作用する作用部が形成され、前記変位部材と連動して前記左右方向に沿って移動するように構成された伝達部材と、
を備え、
前記駆動源での前記変位部材の変位に応じて前記伝達部材が連動し、前記被作用部に対する前記作用部の相対位置が変化することに伴い、前記作用部が、前記回動軸を中心として前記被作用部を回動させるように作用し、前記開閉扉が前記開放位置と前記閉塞位置との間で回動動作することを特徴とする。
【０００７】
本発明の遊技機は、上記遊技機用可変入賞装置が遊技盤に配置されていることを特徴とする。
【発明の効果】
【０００８】
本発明の遊技機用可変入賞装置及び遊技機では、駆動源の変位部材と連動して左右方向に沿って移動するように、開閉扉に隣接して伝達部材が設けられ、この伝達部材には、開閉扉の被作用部に作用する作用部が形成されている。そして、駆動源での変位部材の変位に応じて伝達部材が連動するように構成され、被作用部に対する作用部の相対位置が変化することに伴い、作用部が、回動軸を中心として被作用部を回動させるように作用し、開閉扉が開放位置と閉塞位置との間で回動動作するようになっている。
この構成では、伝達部材が駆動源の変位部材と同様の動きで連動するため、駆動源で発生した変位部材の動きが伝達部材に正確に反映され易くなり、その動きが開閉扉にも正確に伝わりやすくなる。更に、伝達部材が開閉扉の側方に隣接して左右に変位する構成であるため、開閉扉及びこれに作用する伝達部材のスペースが前後方向や上下方向に嵩張りにくくなり、しかも、変位部材と伝達部材とがいずれも左右方向に沿って移動する構成であるため、開閉扉、伝達部材、駆動源を、前後方向及び上下方向の嵩張りを抑えてコンパクトに構成しやすくなる。
【０００９】
また、本発明は、前記作用部又は前記被作用部のうち、いずれか一方が筒状部として構成され、いずれか他方が前記筒状部内に挿入される軸状部として構成され、前記筒状部の内壁部又は前記軸状部の外壁部のうち、いずれか一方には、溝部又は凸条部が螺旋状に構成されてなる螺旋状部が形成され、いずれか他方には、前記螺旋状部に係合して前記螺旋状部に沿って相対移動する係合部が形成されていてもよい。
この構成によれば、伝達部材の左右方向に沿ったスライド動作を、より簡易な構成で開閉扉の回動動作に変換することができる。更に、筒状部に軸状部が挿入された状態を維持しつつ左右方向に沿った相対移動によってスライド動作を回動動作に変換することができるため、回動部材と伝達部材の位置関係（特に、前後方向や上下方向の位置関係）をより正確に保ちながら安定的に開閉扉を開閉しやすくなる。
【００１０】
この場合、前記作用部が前記軸状部として構成され、前記被作用部が前記筒状部として構成されており、前記軸状部の外壁部には、円筒状の外周面が構成され、前記円筒状の外周面から窪んだ構成で前記溝部が螺旋状に構成されてなる前記螺旋状部が形成され、前記筒状部の内壁部には、前記係合部として前記螺旋状部に入り込む凸部が形成されていてもよい。そして、前記枠体には、前記軸状部と嵌合するガイド孔が形成されており、前記ガイド孔には、前記軸状部の前記円筒状の外周面を支持する円筒状の内周面が前記左右方向に沿って構成されており、前記軸状部は、前記円筒状の外周面が前記ガイド孔の前記円筒状の内周面に支持されつつ前記左右方向に沿って移動する構成であってもよい。
このように、作用部を軸状部として構成し、枠体のガイド孔によって往復動可能に支持することで、伝達部材（特に作用部）を規定方向に安定的に移動させることが可能となる。しかも、軸状部は、円筒状の外周面から窪んだ構成で溝状の螺旋状部が形成されているため、ガイド孔によって軸状部を支持する際に螺旋状部が支持の安定性を阻害しにくくなり、ガイド孔の内周面が軸状部の円筒状の外周面を支持しながら円滑にスライド動作がなされる。
【００１１】
更に、いずれの構成でも、前記伝達部材が前記変位部材に固定され、当該変位部材と一体的に移動する構成であってもよい。
この構成によれば、駆動源の動作がより正確に伝達部材に伝わりやすくなり、ひいては、開閉扉をより正確に開閉しやすくなる。しかも、変位部材と伝達部材の間に他の部材を多数介在させる必要がないため、部品点数の抑制及び装置全体の小型化を一層図り易くなる。
【００１２】
また、いずれの構成でも、前記伝達部材の前記作用部は、前記被作用部を回転可能に支持することで前記開閉扉における前記左右方向一端側を支持する軸受として兼用されていてもよい。この場合、前記開閉扉における前記左右方向他端側の部分は、前記枠体に形成された軸受部に回転可能に支持される構成であることが望ましい。
このように作用部を左右方向一方側の軸受として兼用すれば、開閉扉付近の枠体領域をより削減することができ、軽量化、小型化をより促進しやすくなる。
【図面の簡単な説明】
【００１３】
【図１】図１は、本発明の第１実施形態に係る遊技機用可変入賞装置を備えた遊技機を概略的に例示する正面図である。
【図２】図２は、本発明の第１実施形態に係る遊技機用可変入賞装置を前方側且つ斜め上方側から見た様子を概略的に示す斜視図であり、図２（Ａ）は、開閉扉が閉塞状態である場合を示す斜視図であり、図２（Ｂ）は、開閉扉が開放状態である場合を示す斜視図である。
【図３】図３は、図２の遊技機用可変入賞装置から枠体の一部を外した状態を示す斜視図であり、図３（Ａ）は、開閉扉が閉塞状態である場合を示す斜視図であり、図３（Ｂ）は、開閉扉が開放状態である場合を示す斜視図である。
【図４】図４は、図２の遊技機用可変入賞装置を前方側且つ斜め上方側から見た分解斜視図である。
【図５】図５は、図２の遊技機用可変入賞装置の正面図である。
【図６】図６は、図２の遊技機用可変入賞装置の平面図である。
【図７】図７は、図２の遊技機用可変入賞装置の右側面図である。
【図８】図８は、図２の遊技機用可変入賞装置の裏面図である。
【図９】図９（Ａ）は、図２の遊技機用可変入賞装置で用いられる伝達部材を示す斜視図であり、図９（Ｂ）は、その伝達部材を図９（Ａ）とは異なる方向から見た斜視図である。
【図１０】図１０（Ａ）は、図２の遊技機用可変入賞装置で用いられる伝達部材を示す平面図であり、図１０（Ｂ）は、その正面図であり、図１０（Ｃ）は、その裏面図であり、図１０（Ｄ）は、その背面図である。
【図１１】図１１（Ａ）は、図２の遊技機用可変入賞装置で用いられる伝達部材を示す右側面図であり、図１１（Ｂ）は、その左側面図である。
【図１２】図１２は、図２の遊技機用可変入賞装置で用いられる開閉扉を示す右側面図であり、図１２（Ａ）は、開閉扉が閉塞状態である場合を示す右側面図あり、図１２（Ｂ）は、開閉扉が開放状態である場合を示す右側面図である。
【図１３】図１３（Ａ）は、図１２の開閉扉が閉塞状態である場合を示す正面図あり、図１３（Ｂ）は、図１２（Ａ）のＡ−Ａ断面を概略的に示す断面図である。
【図１４】図１４（Ａ）は、図１２の開閉扉が開放状態である場合を示す正面図あり、図１４（Ｂ）は、図１２（Ｂ）のＢ−Ｂ断面を概略的に示す断面図であり、図１４（Ｃ）は、図１２（Ｂ）のＣ−Ｃ断面を概略的に示す断面図である。
【発明を実施するための形態】
【００１４】
[第１実施形態]
以下、本発明に係る遊技機用可変入賞装置１０及びそれを備えた遊技機１を具現化した第１実施形態について、図面を参照して説明する。
【００１５】
（遊技機の概要）
まず、遊技機１の概要を説明する。
図１に示す遊技機１は、いわゆるパチンコ機として構成されるものであり、木板（ベニヤ板）、アクリル板等によって構成される遊技盤２の盤面２ａ（前面）に沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動口７が配置されている。そして、始動口７の下方には、本発明に係る遊技機用可変入賞装置１０が配置されている。また、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球が流下するように構成されている。なお、図１では、透明板の図示を省略している。
【００１６】
本明細書において、「前後方向」とは、遊技盤２の盤面２ａ（前面）と直交する方向を意味し、盤面２ａに対し遊技者が位置するべき側を前方側、それとは反対側（即ち、遊技機１奥側）を後方側とする。また、「上下方向」とは、前後方向と直交する方向であって遊技球が流下する方向を意味する。例えば、図１に示す遊技機１の長手方向が鉛直方向となるように盤面２ａが鉛直方向と平行に配置される場合、鉛直方向が上下方向となる。また、「左右方向」とは、上記「前後方向」及び「上下方向」と直交する横方向を意味する。更に、上下方向と直交する平面方向を「水平方向」とする。即ち、「水平方向」は、前後方向及び左右方向と平行な面方向である。
【００１７】
（遊技機用可変入賞装置の構造）
次に、遊技機用可変入賞装置１０の構造を説明する。
遊技機用可変入賞装置１０（以下、入賞装置１０ともいう）は、図１のように、遊技機１の遊技盤２に固定されて用いられるものであり、その一部が遊技盤２の前方側から視認可能となるように遊技盤２の前方側に露出した状態で配置される。なお、以下の代表例では、入賞装置１０の枠体２０が遊技盤２に直接固定された構成を例示するが、入賞装置１０は、遊技盤２に取り付けられていればよく、例えば、枠体２０が他部材を介して間接的に遊技盤２に固定されていてもよい。また、図１等に示す代表例では、開口部２２（図２（Ｂ）等参照：後述）が大入賞口として機能するアタッカーとしての例を示すが、遊技球が枠体に形成された開口部内に入り込んで入賞し得る構成であれば電動チューリップや役物等の様々な入賞装置に適用できることは勿論である。
【００１８】
この入賞装置１０は、図２、図５〜図８のような外観をなしており、図４の分解斜視図で示すように、主として、枠体２０、開閉扉４０、伝達部材６０、ソレノイド９０、検知スイッチ９８などを備えている。そして、図２のように、枠体２０に形成された開口部２２（図２（Ｂ））を遊技球の導入口とし、大当たり発生時などの所定条件の成立時には、図２（Ｂ）、図３（Ｂ）のように開閉扉４０が前方側に傾倒することで、開口部２２を開放すると共に、この開閉扉４０を案内板として当該開閉扉４０によって遊技球を開口部２２内に導いて入賞させ、それ以外の時期には、図２（Ａ）、図３（Ａ）のように開閉扉４０によって開口部２２が閉じられ、開口部２２の前方側（閉じられた開閉扉４０の前方側）を遊技球が流下し得るようになっている。
【００１９】
枠体２０は、図２のように、全体として箱状の形態をなし、内部に遊技球の通路２３が構成されたものであり、例えば図１のように、遊技機１の遊技盤２に接触する形態でこの遊技盤２に直接的に固定されている。この枠体２０は、図４のように、枠体２０の上面部側を構成する上側部２０ａと、この上側部２０ａが上方側から組み付けられる中央部２０ｂと、この中央部２０ｂに対して下方側から組み付けられる下側部２０ｃとを備えている。そして、これらが図示しないねじ等の連結部材などによって互いに連結されている。このように上側部２０ａ、中央部２０ｂ、下側部２０ｃが一体的に結合することで、図２等に示す枠体２０を構成しており、この枠体２０が、各種部品を保持すると共に開口部２２や通路２３などを構成するようになっている。
【００２０】
図２（Ｂ）で示すように、枠体２０には、上側部２０ａ及び中央部２０ｂによって開口部２２が構成されている。この開口部２２は、正面視したときの開口形状が略矩形状（横方向に長い長方形状）となっており、上下方向の開口幅は、開口部２２の左右方向全体にわたって遊技球の径よりも大きく、遊技球の径の２倍よりも小さい幅（より具体的には、遊技球の径の１．５倍よりも小さい幅）となっている。また、開口部２２の左右方向の幅は、遊技球の径の２倍以上となっており、複数の遊技球が左右に重なって同時に開口部２２内に入り込むことが可能となっている。
【００２１】
本構成では、図２（Ｂ）のように、開閉扉４０が開放位置に保持されたときに、この開閉扉４０の一方の板面４０ａによって遊技球を開口部２２（入球口）へと導く遊技球誘導路が構成されるようになっている。開閉扉４０は、図２（Ｂ）のように配置されたときに、上方からの遊技球を受ける誘導板となり、このとき、板面４０ａの後方側が前方側よりも低位置になるように後ろ下がりの傾斜となる。従って、開放位置のときには、開閉扉４０に受けられた遊技球が板面４０ａ上を後ろ側に向かって転がりやすく、開口部２２（入賞口）側に導かれやすくなる。
【００２２】
図２（Ｂ）に示すように、枠体２０の内部において、開口部２２に隣接する後方側には、通路２３が形成されている。通路２３は、図２（Ｂ）のように開閉扉４０が開放位置に位置しているときに、この開閉扉４０の後端側に続くように形成されており、開口部２２から入り込んだ遊技球を所定の入賞口２７に導く流路として機能する。この通路２３は、中央部２０ｂに形成された左右方向の板状部を底部２４としている。なお、本構成では、底部２４の下方に、発光素子を備えてなる図示しない発光基板が設けられており、この発光基板によって底部２４を照射して光らせる構成となっている。また、上側部２０ａに形成された左右方向に延びる壁部によって上壁部２５ａが構成され、図２（Ｂ）、図３（Ｂ）のように、中央部２０ｂに形成された立壁によって左右の側壁部２５ｂ，２５ｃと、後方側の後壁部２５ｄが構成されている。通路２３は、このような構成により、前方側が開放し、左右両側、上下両側、及び後方側が閉じられた構成で、左右に延びる流路となっている。また、通路２３は、底部２４が配置された領域（入賞口２７に至るまでの領域）の全体に亘って、上下の幅（上壁部２５ａと底部２４の幅）が遊技球を１球ずつ通す大きさ（即ち、遊技球の径の２倍よりも小さい大きさ）で構成され、１球ずつ左右に流れやすくなっているため、入賞口２７に遊技球が１球ずつ入りやすくなっている。
【００２３】
図２（Ｂ）、図３（Ｂ）に示すように、通路２３の底部２４の下流側の入賞口２７に通過孔９８ａが位置するように検知スイッチ９８が配置されている。この通過孔９８ａは、底部２４と共に通路２３の一部として機能しており、底部２４上を転がる遊技球は、その直後に入賞口２７から通過孔９８ａを通り、検知スイッチ９８によって検知されるようになっている。また、通過孔９８ａの下方側には上下に貫通した孔部として構成される排出口２１が続いており、通過孔９８ａを通った遊技球は排出口２１を介して枠体２０の外部に排出されるようになっている。このように開口部２２（入球口）から排出口２１まで、遊技球を通す流路が構成されているため開口部２２（入球口）に入り込んだ遊技球は、１球ずつ検知スイッチ９８で検知され、１球ずつ排出口２１から排出されることになる。
【００２４】
開閉扉４０は、遊技盤２の盤面２ａと平行な所定の左右方向に沿った回動軸Ｇを中心として回動し得るように、枠体２０に直接又は他部材を介して間接的に保持されている。図２、図３等で示す例では、開閉扉４０の左右方向一方側が枠体２０に接触した状態で直接的に保持され、開閉扉４０の左右方向他方側は、後述する伝達部材６０を介して間接的に保持されている。なお、ここで示す例はあくまで一例であり、開閉扉４０の左右方向両側が枠体２０に接触して直接的に支持されていてもよく、開閉扉４０の左右方向両側が他部材を介して枠体２０に支持されていてもよい。
【００２５】
図３、図４のように、開閉扉４０は、開口部２２（図２（Ｂ））を開放する開放位置と開口部２２を閉塞する閉塞位置とに変位し得るものであり、主として、板状に構成される誘導板４１と、左右方向の一端側に配置される筒状部４２（被作用部）と、左右方向の他端側に配置される軸部４３とを備えている。
【００２６】
誘導板４１は、左右方向に長い形態をなし、矩形状の板面の短手方向一端側（図２（Ａ）のような閉塞状態での下端側）が左右方向の回動軸Ｇを中心として回動可能に保持される。この誘導板４１は、開閉扉４０が閉塞位置となったときに図２（Ａ）のように開口部２２の全体を覆うように閉塞する部分であり、開閉扉４０が開放位置になったときには、図２（Ｂ）のように傾倒して遊技球を後方側（通路２３）に導くように機能する。
【００２７】
筒状部４２は、被作用部の一例に相当する部分であり、図２〜図６、図８等で示すように、誘導板４１の左右方向一方側（正面視したときの右側）に連結された構成で、誘導板４１の左右方向の端部から左右方向一方側に突出して配置されている。この筒状部４２は、図４、図１２〜図１４で示すように、筒内の内壁面の大部分が、左右方向を円筒軸方向とする円筒面４２ａとして構成されており、この円筒面４２ａから内側（円筒軸Ｇ１側）に突出する構成で凸部５０が形成されている。なお、開閉扉４０が枠体２０に組み付けられた状態では、円筒面４２ａの円筒軸Ｇ１の位置が開閉扉４０の回動軸Ｇの位置とほぼ一致する。
【００２８】
誘導板４１の左右方向他方側（正面視したときの左側）には、誘導板４１の左右方向の端部（筒状部４２とは反対側の端部）から凹んだ構成で穴部４４が形成されている。この穴部４４は、内壁面がＧ１の方向を円筒軸方向とする円筒面として構成されており、この穴部４４には、円柱状且つ棒状の軸部４３が差し込まれる構成となっている。穴部４４に軸部４３が差し込まれた状態では、図３のように、誘導板４１の左右方向の端部（筒状部４２とは反対側の端部）から左右方向他方側（筒状部４２とは反対側）に軸部４３が突出して配置されるようになっている。
【００２９】
このように構成される開閉扉４０は、図３のように、左右方向一端側に配置される筒状部４２が、伝達部材６０を介して枠体２０に回転可能に支持され、左右方向他端側に配置される軸部４３が、枠体２０に形成された軸受部２６に回転可能に支持されるようになっている。
【００３０】
なお、図３、図４で示すように、軸部４３を保持する軸受部２６は、中央部２０ｂに形成された凹部２６ａと、上側部２０ａに形成された被覆部２６ｂとによって構成されており、軸部４３の回転を許容し、軸部４３の上下方向、前後方向、左右方向一方側（誘導板４１とは反対側）への移動を許容しないようになっている。また、後述する伝達部材６０の軸状部６２は、上下方向、前後方向への移動が許容されないように、上下方向及び前後方向の位置が定められた状態で枠体２０に保持されている。具体的には、中央部２０ｂにおいて前側に突出するように突出支持部２８ａが設けられ、上側部２０ａにおいても前側に突出するように突出被覆部２８ｂが設けられている。そして、図２（Ｂ）、図７等で示すように、これら突出支持部２８ａ及び突出被覆部２８ｂとが互いに接触し合うように近接することで、軸状部６２の一端側（開閉扉４０側とは反対側）を回転可能に支持する軸受部２８が構成されている。そして、このように構成される軸受部２８によって軸状部６２が回転可能に保持されることで、軸状部６２の上下方向及び前後方向の位置が定められている。そして、このように上下方向及び前後方向の位置が定められた軸受部２６及び軸状部６２によって両端が保持される開閉扉４０は、それら保持位置での上下方向及び前後方向の動きが規制された状態で回動のみが許容されることになり、図３（Ａ）（Ｂ）のように回動動作することになる。
【００３１】
伝達部材６０は、例えば樹脂材料などによって構成され、プランジャ９４と連動して左右方向に沿って移動するように構成された部品であり、具体的には、プランジャ９４の先端部（プランジャヘッド）に連結部６１（具体的には、凹部６１ａ：図９、図１１等参照）が係合した状態で固定されており、プランジャ９４の変位に伴ってプランジャ９４と一体的に移動する構成となっている。
【００３２】
なお、ここで説明する代表例では、伝達部材６０が枠体２０の一部に接触して枠体２０に直接的に保持される構成を説明するが、伝達部材６０は、枠体２０に対して変位可能（具体的には、左右方向に沿った往復動可能）に取り付けられる構成であればよく、枠体２０に取り付けられた他部材に支持される構成で枠体２０に間接的に保持されていてもよい。
【００３３】
この伝達部材６０は、図３で示すように、作用部に相当する軸状部６２が、開閉扉４０の筒状部４２内に挿入された状態で開閉扉４０に隣接して配置されている。このように筒状部４２に挿入される軸状部６２は、筒状部４２（被作用部）を回転可能に支持することで開閉扉４０における左右方向一端側を支持する軸受として兼用されている。
【００３４】
本構成では、開閉扉４０の側方に軸状部６２が配置され、この軸状部６２の後方に連結部６１が配置されている。この連結部６１は、開閉扉４０よりもやや後方位置に配置されたソレノイド９０のプランジャ９４に固定されて軸状部６２とプランジャ９４とを連結する部分である。
【００３５】
ソレノイド９０は、駆動源の一例に相当し、図４のように、コイル部９２と、プランジャ９４と、図示しないコイルばねとを備えている。コイル部９２は、中空状に構成されると共に公知の電磁石として構成されるものであり、励磁状態及び非励磁状態に切り替え可能に構成され、変位部材を駆動する駆動部として機能する。プランジャ９４は、コイル部９２が非励磁状態のときに所定量突出した突出状態（図３（Ａ））となり、コイル部９２が励磁状態のときに突出状態のときよりも突出量が小さい退避状態（図３（Ｂ））となるように進退し、伝達部材６０及び開閉扉４０に対して駆動力を与えるように機能する。このプランジャ９４は、磁性体によって構成されると共に図４等のように一端側の端部（先端部）にフランジ部が形成されており、他端側がコイル部９２内に挿し込まれている。そして、プランジャ９４の周囲且つフランジ部とコイル部９２の間にはフランジ部をコイル部９２から離間する方向に付勢する図示しないコイルばねが配置されている。
【００３６】
ソレノイド９０は、コイル部９２が非励磁状態のときには、コイルばねの付勢によりプランジャ９４がある程度コイル部９２の外側に押し出された位置となり（図３（Ａ））、コイル部９２が励磁状態のときには、コイルばねの付勢に抗してプランジャ９４がコイル部９２内に引き込まれるようになっている（図３（Ｂ））。このように、ソレノイド９０は、コイル部９２に対する電気的な制御によって、プランジャ９４を水平方向に沿った向き（具体的には左右方向）に移動させ、プランジャ９４に連動する部品（伝達部材６０）に駆動力を与えることができるようになっている。
【００３７】
また、検知スイッチ９８は、検知手段の一例に相当し、公知の球検出センサとして構成されており、遊技球が通過孔９８ａ内を通過したときに検出信号を発するように構成され、開口部２２（入球口）から入球し入賞口２７に入賞して通過孔９８ａを通る遊技球を検知する機能を有している。
【００３８】
さて、このように構成される入賞装置１０では、互いに作用する開閉扉４０及び伝達部材６０において、筒状部４２が被作用部として機能し、軸状部６２が作用部として機能する。具体的には、軸状部６２の外壁部には、円筒状の外周面６２ａが構成され、円筒状の外周面６２ａから窪んだ構成で溝部が螺旋状に構成されてなる螺旋状部７０が形成されている。また、筒状部４２の内壁部には、螺旋状部７０に係合して螺旋状部７０に沿って相対移動する凸部５０（凸部５０は係合部の一例に相当）が形成されており、筒状部４２に対する軸状部６２の相対移動によって螺旋状部７０と凸部５０とが作用し合うことになる。
【００３９】
具体的には、図１３（Ｂ）等で示すように、軸状部６２が筒状部４２の筒内に挿入された状態では、軸状部６２に形成された螺旋状部７０の溝内に凸部５０が挿入された状態となっており、螺旋状部７０以外の外周面６２ａ（円筒面）は、筒状部４２における凸部５０以外の内壁面（円筒面４２ａ）と接触し合って嵌合するようになっている。そして、図１３（Ｂ）、図１４（Ｂ）のように、筒状部４２に対する軸状部６２の挿入度合いが変化することに伴い、螺旋状部７０に対する凸部５０の左右方向の相対位置が変化し、螺旋状部７０に対する左右方向の相対位置に応じて凸部５０の上下方向の相対位置（軸状部６２の周囲での相対位置）が変化するようになっている。
【００４０】
図３、図５等で示すように、枠体２０に形成された上述の軸受部２８には、軸状部６２と嵌合するガイド孔３０が左右方向に延びる構成で形成されており、ガイド孔３０には、軸状部６２の円筒状の外周面６２ａを支持する円筒状の内周面が左右方向に沿って構成されている。なお、図４等では、この円筒状の内周面のうちの突出支持部２８ａ側の内周面３０ａのみが表れているが、突出被覆部２８ｂにも同様の内周面が構成されている。そして、ガイド孔３０の円筒状の内周面は、円筒軸方向が回動軸Ｇの方向と一致する円筒面となっており、軸状部６２は、円筒状の外周面６２ａがガイド孔３０の円筒状の内周面に支持されつつ左右方向に沿って移動する構成となっている。従って、軸状部６２は、上下方向や前後方向に移動せず、左右方向に延びる姿勢が保たれた状態で左右方向のみにスライドすることになる。
【００４１】
このように構成される入賞装置１０では、ソレノイド９０でのプランジャ９４の変位に応じて伝達部材６０が連動し、筒状部４２（被作用部）に対する軸状部６２（作用部）の相対位置（具体的には、左右方向の相対位置）が変化することに伴い、軸状部６２に形成された螺旋状部７０が、回動軸Ｇを中心として筒状部４２を回動させるように作用し、開閉扉４０が開放位置と閉塞位置との間で回動動作する。
【００４２】
例えば、大当たり発生等の所定条件が成立した時点で、ソレノイド９０が図３（Ａ）の状態から図３（Ｂ）のような状態となり、所定条件が成立した時点から解除条件が成立するまでの間は、図３（Ｂ）のような状態で維持されることになる。この場合、開閉扉４０等は、所定条件が成立した時点で、図１３の状態から図１４の状態に切り替わることになり、筒状部４２に対する軸状部６２の相対位置は、図１３（Ｂ）の状態から図１４（Ｃ）の状態に変化することになる。この際には、螺旋状部７０の相対移動に応じて凸部５０が螺旋状部７０に案内され、軸状部６２の周りを移動するように変位することになり、これにより、開閉扉４０が回動して図１４のような状態に変化する。
【００４３】
一方、解除条件が成立すると、ソレノイド９０が図３（Ｂ）の状態から図３（Ａ）のような状態となり、次の所定条件が成立するまでの間は、図３（Ａ）のような状態で維持されることになる。この場合、開閉扉４０等は、解除条件が成立した時点で、図１４の状態から図１３の状態に切り替わることになり、筒状部４２に対する軸状部６２の相対位置は、図１４（Ｃ）の状態から図１３（Ｂ）の状態に変化することになる。この際にも、螺旋状部７０の相対移動に応じて凸部５０が螺旋状部７０に案内され、軸状部６２の周りを移動するように変位することになり、これにより、開閉扉４０が回動して図１３のような状態に変化する。
【００４４】
（本構成の主な効果）
本構成の遊技機用可変入賞装置１０は、上述したように、ソレノイド９０のプランジャ９４と連動して左右方向に沿って移動するように、開閉扉４０に隣接して伝達部材６０が設けられ、この伝達部材６０には、開閉扉４０の被作用部に作用する作用部が形成されている。そして、ソレノイド９０でのプランジャ９４の変位に応じて伝達部材６０が連動するように構成され、被作用部に対する作用部の相対位置が変化することに伴い、作用部が、回動軸を中心として被作用部を回動させるように作用し、開閉扉４０が開放位置と閉塞位置との間で回動動作するようになっている。この構成では、伝達部材６０がソレノイド９０のプランジャ９４と同様の動きで連動するため、ソレノイド９０で発生したプランジャ９４の動きが伝達部材６０に正確に反映され易くなり、その動きが開閉扉４０にも正確に伝わりやすくなる。更に、伝達部材６０が開閉扉４０の側方に隣接して左右に変位する構成であるため、開閉扉４０及びこれに作用する伝達部材６０のスペースが前後方向や上下方向に嵩張りにくくなり、しかも、プランジャ９４と伝達部材６０とがいずれも左右方向に沿って移動する構成であるため、開閉扉４０、伝達部材６０、ソレノイド９０を、前後方向及び上下方向の嵩張りを抑えてコンパクトに構成しやすくなる。
【００４５】
また、本構成のように、作用部又は被作用部のうち、いずれか一方が筒状部として構成され、いずれか他方が筒状部内に挿入される軸状部として構成され、筒状部の内壁部又は軸状部の外壁部のうち、いずれか一方に、溝部又は凸条部が螺旋状に構成されてなる螺旋状部（例えば螺旋状部７０）が形成され、いずれか他方に、螺旋状部に係合して螺旋状部に沿って相対移動する係合部（例えば凸部５０）が形成された構成であれば、伝達部材の左右方向に沿ったスライド動作を、より簡易な構成で開閉扉４０の回動動作に変換することができる。更に、筒状部に軸状部が挿入された状態を維持しつつ左右方向に沿った相対移動によってスライド動作を回動動作に変換することができるため、回動部材と伝達部材の位置関係（特に、前後方向や上下方向の位置関係）をより正確に保ちながら安定的に開閉扉４０を開閉しやすくなる。
【００４６】
本構成の具体例では、作用部が軸状部６２として構成され、被作用部が筒状部４２として構成されており、軸状部６２の外壁部には、円筒状の外周面が構成され、円筒状の外周面から窪んだ構成で溝部が螺旋状に構成されてなる螺旋状部７０が形成され、筒状部４２の内壁部には、係合部として螺旋状部７０に入り込む凸部５０が形成されている。そして、枠体２０には、軸状部６２と嵌合するガイド孔３０が形成されており、ガイド孔３０には、軸状部６２の円筒状の外周面を支持する円筒状の内周面が左右方向に沿って構成されており、軸状部６２は、円筒状の外周面がガイド孔３０の円筒状の内周面に支持されつつ左右方向に沿って移動する構成となっている。このように、作用部を軸状部６２として構成し、枠体２０のガイド孔３０によって往復動可能に支持することで、伝達部材６０（特に作用部）を規定方向に安定的に移動させることが可能となる。しかも、軸状部６２は、円筒状の外周面から窪んだ構成で溝状の螺旋状部７０が形成されているため、ガイド孔３０によって軸状部６２を支持する際に螺旋状部７０が支持の安定性を阻害しにくくなり、ガイド孔３０の内周面が軸状部６２の円筒状の外周面を支持しながら円滑にスライド動作がなされる。
【００４７】
更に、本構成では、伝達部材６０がプランジャ９４に直接固定され、当該プランジャ９４と一体的に移動する構成となっている。この構成によれば、ソレノイド９０の動作がより正確に伝達部材６０に伝わりやすくなり、ひいては、開閉扉４０をより正確に開閉しやすくなる。しかも、プランジャ９４と伝達部材６０の間に他の部材を多数介在させる必要がないため、部品点数の抑制及び装置全体の小型化を一層図り易くなる。
【００４８】
また、伝達部材６０の作用部は、被作用部を回転可能に支持することで開閉扉４０における左右方向一端側を支持する軸受として兼用されている。そして、開閉扉４０における左右方向他端側の部分は、枠体２０に形成された軸受部２６に回転可能に支持される構成となっている。このように作用部を左右方向一方側の軸受として兼用すれば、開閉扉付近の枠体２０領域をより削減することができ、軽量化、小型化をより促進しやすくなる。
【００４９】
［他の実施形態]
本発明は上記記述及び図面によって説明した実施形態に限定されるものではなく、例えば次のような実施形態も本発明の技術的範囲に含まれる。
【００５０】
上記実施形態では、作用部又は被作用部のうち、被作用部が筒状部４２として構成され作用部が筒状部４２内に挿入される軸状部６２として構成された例を示したが、被作用部が軸状部として構成され、作用部が筒状部として構成されてもよい。
【００５１】
上記実施形態では、軸状部６２の外壁部に溝部が螺旋状に構成されてなる螺旋状部７０が形成され、筒状部４２の内壁部に、螺旋状部７０に係合して螺旋状部７０に沿って相対移動する係合部が形成された例を示したが、筒状部４２の内壁部に螺旋状部が形成され、軸状部６２の外壁部に係合部が形成されてもよい。
【００５２】
上記実施形態では、溝部が螺旋状に構成されてなる螺旋状部７０が形成され、係合部として、螺旋状部７０に係合して螺旋状部７０に沿って相対移動する凸部５０が形成された例を示したが、被作用部又は作用部の一方に、凸条部が螺旋状に構成されてなる螺旋状部が形成され、他方には、このような螺旋状部に係合し得る凹部構造の係合部が形成されていてもよい。
【符号の説明】
【００５３】
１…遊技機
２…遊技盤
２ａ…盤面
１０…遊技機用可変入賞装置
２０…枠体
２２…開口部
３０…ガイド孔
４０…開閉扉
４２…筒状部（被作用部）
５０…凸部（被作用部）
６０…伝達部材
６２…軸状部（作用部）
７０…螺旋状部（作用部、係合部）
９０…ソレノイド（駆動源）
９２…コイル部（駆動部）
９４…プランジャ（変位部材）
【図１】
2015213678.tif 000003
【図２】
2015213678.tif 000004
【図３】
2015213678.tif 000005
【図４】
2015213678.tif 000006
【図５】
2015213678.tif 000007
【図６】
2015213678.tif 000008
【図７】
2015213678.tif 000009
【図８】
2015213678.tif 000010
【図９】
2015213678.tif 000011
【図１０】
2015213678.tif 000012
【図１１】
2015213678.tif 000013
【図１２】
2015213678.tif 000014
【図１３】
2015213678.tif 000015
【図１４】
2015213678.tif 000016